(57)【要約】      （修正有）【課題】バッファステータスレポート機構においてＵＥの接続状態を適切に制御する技術を提供する。【解決手段】基地局１００において、ＵＥデータ滞留量管理部１４０は、ユーザ装置に送受信されるダウンリンク及び／又はアップリンクデータのデータ量を管理する。ＵＥ状態管理部１３０は、ＵＥ  Ｉｎａｃｔｉｖｅ  Ｔｉｍｅｒ管理部１６０で管理する第１タイマが所定の閾値を超過すると、Ｒｅｌｅａｓｅ  Ｐｅｎｄｉｎｇ  Ｔｉｍｅｒ管理部１５０で管理される第２タイマが起動中でない場合、前記ユーザ装置を接続確立状態からアイドル状態に遷移させる。Ｒｅｌｅａｓｅ  Ｐｅｎｄｉｎｇ  Ｔｉｍｅｒ管理部１５０は、ユーザ装置からアップリンクデータが発生したことを通知するメッセージを受信すると第２タイマを起動し、ユーザ装置からアップリンクトラフィックデータを受信すると停止及びリセットする。【選択図】図５
2014017591.tif 000002
【特許請求の範囲】
【請求項１】
無線通信システムにおいてユーザ装置と通信する基地局であって、
前記ユーザ装置に送受信されるダウンリンク及び／又はアップリンクデータのデータ量を管理するデータ滞留量管理部と、
前記ユーザ装置に送受信されるダウンリンク及びアップリンクトラフィックデータが発生していない期間を計時するための第１タイマを管理する第１タイマ管理部と、
前記第１タイマの停止及びリセットを保留する第２タイマを管理する第２タイマ管理部と、
前記第１タイマが所定の閾値を超過すると、前記ユーザ装置を接続確立状態からアイドル状態に遷移させるユーザ装置状態管理部と、
を有し、
前記第２タイマ管理部は、前記ユーザ装置からアップリンクデータが発生したことを通知するメッセージを受信すると、前記第２タイマを起動し、前記ユーザ装置からアップリンクトラフィックデータを受信すると、前記第２タイマを停止及びリセットし、
前記第１タイマ管理部は、前記第２タイマの起動中は前記第１タイマの起動を継続する基地局。
【請求項２】
前記第１タイマ管理部は、前記ユーザ装置に送受信されるダウンリンク及びアップリンクトラフィックデータがなくなると、前記第１タイマを起動し、前記ユーザ装置からアップリンクデータが発生したことを通知するメッセージを受信すると、前記第２タイマが停止及びリセットされている場合、前記第１タイマを停止及びリセットする、請求項１記載の基地局。
【請求項３】
前記アップリンクデータが発生したことを通知するメッセージは、ＬＴＥシステムにおけるバッファステータスレポート（ＢＳＲ）であり、前記ユーザ装置から送信される制御データとトラフィックデータとの合計データ量を通知する、請求項２記載の基地局。
【請求項４】
前記制御データは、前記ＬＴＥシステムにおけるＣ−ｐｌａｎｅデータであり、
前記トラフィックデータは、前記ＬＴＥシステムにおけるＵ−ｐｌａｎｅデータである、請求項３記載の基地局。
【請求項５】
前記データ滞留量管理部は、当該基地局の上位局から前記ユーザ装置宛のＵ−ｐｌａｎｅデータを受信することによって、前記Ｕ−ｐｌａｎｅデータが発生したと判断し、前記ユーザ装置から前記バッファステータスレポート及び／又はアップリンクＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）を受信することによって、前記Ｕ−ｐｌａｎｅデータが発生したと判断する、請求項４記載の基地局。
【請求項６】
ユーザ装置と、
前記ユーザ装置と通信する基地局と、
を有する無線通信システムであって、
前記基地局は、
前記ユーザ装置に送受信されるダウンリンク及び／又はアップリンクデータのデータ量を管理するデータ滞留量管理部と、
前記ユーザ装置に送受信されるダウンリンク及びアップリンクトラフィックデータが発生していない期間を計時するための第１タイマを管理する第１タイマ管理部と、
前記第１タイマの停止及びリセットを保留する第２タイマを管理する第２タイマ管理部と、
前記第１タイマが所定の閾値を超過すると、前記ユーザ装置を接続確立状態からアイドル状態に遷移させるユーザ装置状態管理部と、
を有し、
前記第２タイマ管理部は、前記ユーザ装置からアップリンクデータが発生したことを通知するメッセージを受信すると、前記第２タイマを起動し、前記ユーザ装置からアップリンクトラフィックデータを受信すると、前記第２タイマを停止及びリセットし、
前記第１タイマ管理部は、前記第２タイマの起動中は前記第１タイマの起動を継続する無線通信システム。
【請求項７】
無線通信システムの基地局によるユーザ装置の接続状態を制御する方法であって、
前記ユーザ装置に送受信されるダウンリンク及びアップリンクトラフィックデータが発生していない期間を計時するための第１タイマの停止及びリセットを保留する第２タイマが起動中であるか判断するステップと、
前記第２タイマが起動中である場合、前記ユーザ装置からアップリンクトラフィックデータを受信すると、前記第２タイマを停止及びリセットすると共に、前記第１タイマを停止及びリセットするステップと、
前記第２タイマが起動中でない場合、前記第１タイマが所定の閾値を超過すると、前記ユーザ装置を接続確立状態からアイドル状態に遷移させるステップと、
を有する方法。
【発明の詳細な説明】
【技術分野】
【０００１】
本発明は、一般に無線通信システムに関し、より詳細には、無線通信システムの基地局によるユーザ装置の接続状態を制御する技術に関する。
【背景技術】
【０００２】
大容量のデータを高速通信するための通信規格として、ＬＴＥ（Ｌｏｎｇ  Ｔｅｒｍ  Ｅｖｏｌｕｔｉｏｎ）が開発され、標準化団体である３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によりその仕様が策定された。
【０００３】
ＬＴＥシステムでは、ユーザ装置（Ｕｓｅｒ  Ｅｑｕｉｐｍｅｎｔ：ＵＥ）内にアップリンク（ＵＬ）データが発生すると、発生したデータ量を基地局（ｅＮｏｄｅＢ：ｅＮＢ）に報告するバッファステータスレポート（Ｂｕｆｆｅｒ  Ｓｔａｔｕｓ  Ｒｅｐｏｒｔ：ＢＳＲ）機構が規定されている。このＢＳＲ機構では、ＵＥは論理チャネルグループ（Ｌｏｇｉｃａｌ  Ｃｈａｎｎｅｌ  Ｇｒｏｕｐ：ＬＣＧ）毎にＵＥに滞留するＵＬデータ量を基地局に報告する。また、１つのＬＣＧに複数の論理チャネル（Ｌｏｇｉｃａｌ  Ｃｈａｎｎｅｌ：ＬＣＨ）がマッピング可能であり、この場合、ＵＥは、マッピングされている複数のＬＣＨのデータ量の合計を当該ＬＣＧのバッファ量としてｅＮＢに報告する。
【０００４】
例えば、図１に示されるようなＢＳＲでは、ＬＣＧ＃１にはＬＣＨ＃１とＬＣＨ＃２とがマッピングされている。この場合、ＵＥは、ＬＣＨ＃１のデータ量５０バイトとＬＣＨ＃２のデータ量１００バイトとの合計データ量１５０バイトをＬＣＧ＃１のＵＬデータ量としてｅＮＢに報告する。
【０００５】
ＬＴＥシステムでは、ＵＥは、ＲＲＣ  ｃｏｎｎｅｃｔｅｄ状態とアイドル状態との２つの状態を有する。ＲＲＣ  ｃｏｎｎｅｃｔｅｄ状態では、ＵＥとｅＮＢとの間で接続が確立されており、ＵＥは、ｅＮＢに対してデータを送受信することが可能である。他方、アイドル状態では、ＵＥとｅＮＢとの間で接続が確立されておらず、ＵＥがｅＮＢとの間でデータを送受信しようとする場合、ＵＥは、ＲＲＣ  ｃｏｎｎｅｃｔｅｄ状態に遷移して接続を確立する必要がある。データを有するＵＥについては、データの送受信が迅速に可能となるように、ＵＥはＲＲＣ  ｃｏｎｎｅｃｔｅｄ状態にあることが望ましい。他方、データを有しないＵＥについては、ネットワークリソースやＵＥのバッテリを節約する観点から、ＵＥはアイドル状態にあることが望ましい。
【０００６】
このため、ＬＴＥシステムでは、一般にＵＥに所定時間送受信すべきデータがない場合に当該ＵＥをアイドル状態に遷移させるという手法がとられる。具体的には、ｅＮＢは、ＵＥに対するダウンリンク／アップリンク（ＤＬ／ＵＬ）のＵ−ｐｌａｎｅデータの有無をモニタし、ＵＥに対するＤＬ／ＵＬのＵ−ｐｌａｎｅデータがなくなると、ＵＥ  Ｉｎａｃｔｉｖｅ  Ｔｉｍｅｒを起動する。その後、ｅＮＢは、ＵＥに対するＤＬ／ＵＬのＵ−ｐｌａｎｅデータが発生すると、ＵＥ  Ｉｎａｃｔｉｖｅ  Ｔｉｍｅｒをリセットし、停止する。他方、ＵＥに対するＤＬ／ＵＬのＵ−ｐｌａｎｅデータが発生せず、ＵＥ  Ｉｎａｃｔｉｖｅ  Ｔｉｍｅｒが所定の時間閾値を超過すると、ｅＮＢは、当該ＵＥをアイドル状態に遷移させる。
【０００７】
ここで、ｅＮＢが、ＵＥに対するＤＬ／ＵＬのＵ−ｐｌａｎｅデータが発生したことを判定する方法として、以下の方法がある。すなわち、ＤＬデータについては、ｅＮＢに上位局などからＤＬのＵ−ｐｌａｎｅデータが到来すると、ｅＮＢは、ＤＬのＵ−ｐｌａｎｅデータが発生したと判定する。他方、ＵＬデータについては、ＵＥからＢＳＲが報告されることに応答して、又はＵＥからＵＬ  ＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）を受信することに応答して、ｅＮＢは、ＵＬのＵ−ｐｌａｎｅデータが発生したと判定する。
【先行技術文献】
【非特許文献】
【０００８】
【非特許文献１】３ＧＰＰ  ＴＳ  ３６．３２１  Ｖ８．１２．０（２０１２−０３）
【発明の概要】
【発明が解決しようとする課題】
【０００９】
しかしながら、上述したＵＬデータの発生の判定がＵＥから報告されるＢＳＲに基づく場合、ｅＮＢは、ＢＳＲにより報告されるデータがＣ−ｐｌａｎｅデータか、又はＵ−ｐｌａｎｅデータか判定できない可能性がある。例えば、図１に示されるＢＳＲの具体例において、ＬＣＧ＃１にＣ−ｐｌａｎｅの論理チャネルであるＤＣＣＨ（Ｄｅｄｉｃａｔｅｄ  Ｃｏｎｔｒｏｌ  Ｃｈａｎｎｅｌ）とＵ−ｐｌａｎｅの論理チャネルであるＤＴＣＨ（Ｄｅｄｉｃａｔｅｄ  Ｔｒａｆｆｉｃ  Ｃｈａｎｎｅｌ）との両方がマッピングされる場合、ＵＥは、ＤＣＣＨ及びＤＴＣＨの区別なく、ＤＣＣＨとＤＴＣＨとの合計のデータ量をＬＣＧ＃１の滞留データ量として報告する。このため、ＢＳＲを受信したｅＮＢは、ＵＥにＣ−ｐｌａｎｅデータが発生したのか、又はＵ−ｐｌａｎｅデータが発生したのか判別することができない。
【００１０】
図２を参照して、上述したＢＳＲの受信によりＵＬデータの発生を判定する場合のＵＥ  Ｉｎａｃｔｉｖｅ  Ｔｉｍｅｒを利用した従来の制御手法をより詳細に説明する。図２は、従来のＵＥ  Ｉｎａｃｔｉｖｅ  Ｔｉｍｅｒの動作の概略を示す図である。図２に示されるように、ＵＥにおいてＵＬデータが発生すると、ＵＥは、ＢＳＲによりＬＣＧ毎に滞留するＵＬデータ量をｅＮＢに報告する。上述したように、ＵＥからのＢＳＲの受信に応答して、ｅＮＢは、ＵＥに対するＵＬのＵ−ｐｌａｎｅデータが発生したと判断し、ＵＥ  Ｉｎａｃｔｉｖｅ  Ｔｉｍｅｒを停止及びリセットする。その後、ＵＥからＵＬデータ（図示されたＭＡＣ  ＰＤＵなど）が送信され、ＵＥに対するＵ−ｐｌａｎｅデータがなくなってＵＥからのＵＬデータの送信が終了すると、ｅＮＢは、ＵＥに対するＵＬのＵ−ｐｌａｎｅデータがなくなったと判断し、ＵＥ  Ｉｎａｃｔｉｖｅ  Ｔｉｍｅｒを再起動する。その後、ＵＥ  Ｉｎａｃｔｉｖｅ  Ｔｉｍｅｒが所定の時間閾値を超過すると、ｅＮＢは、ＵＥとの接続を切断するためＲＲＣ  ｃｏｎｎｅｃｔｉｏｎ  ｒｅｌｅａｓｅをＵＥに送信し、当該ＵＥをアイドル（ＩＤＬＥ）状態に遷移させる。
【００１１】
しかしながら、上述したＢＳＲでは、データ量は、Ｕ−ｐｌａｎｅデータとＣ−ｐｌａｎｅデータとが区別されることなく、Ｕ−ｐｌａｎｅデータとＣ−ｐｌａｎｅデータとの合計のデータ量として報告される。このため、ＵＥからのＢＳＲの受信に応答して、ｅＮＢが、ＵＥに対するＵ−ｐｌａｎｅデータが発生したと判断し、ＵＥ  Ｉｎａｃｔｉｖｅ  Ｔｉｍｅｒを停止及びリセットした場合、実際にはＣ−ｐｌａｎｅデータしか発生していないにもかからわずＵＥ  Ｉｎａｃｔｉｖｅ  Ｔｉｍｅｒを停止及びリセットすることになり、本来は停止及びリセットすべきでないタイミングでＵＥ  Ｉｎａｃｔｉｖｅ  Ｔｉｍｅｒを停止及びリセットすることになる。この結果、ＵＥをアイドル状態にする機会を逸することになり、不要なネットワークリソースとＵＥのバッテリとを消費することになる。
【００１２】
上記問題点に鑑み、本発明の一課題は、バッファステータスレポート機構においてＵＥの接続状態を適切に制御する技術を提供することである。
【課題を解決するための手段】
【００１３】
本発明の一態様は、無線通信システムにおいてユーザ装置と通信する基地局であって、前記ユーザ装置に送受信されるダウンリンク及び／又はアップリンクデータのデータ量を管理するデータ滞留量管理部と、前記ユーザ装置に送受信されるダウンリンク及びアップリンクトラフィックデータが発生していない期間を計時するための第１タイマを管理する第１タイマ管理部と、前記第１タイマの停止及びリセットを保留する第２タイマを管理する第２タイマ管理部と、前記第１タイマが所定の閾値を超過すると、前記ユーザ装置を接続確立状態からアイドル状態に遷移させるユーザ装置状態管理部とを有し、前記第２タイマ管理部は、前記ユーザ装置からアップリンクデータが発生したことを通知するメッセージを受信すると、前記第２タイマを起動し、前記ユーザ装置からアップリンクトラフィックデータを受信すると、前記第２タイマを停止及びリセットし、前記第１タイマ管理部は、前記第２タイマの起動中は前記第１タイマの起動を継続する基地局に関する。
【００１４】
本発明の他の態様は、ユーザ装置と、前記ユーザ装置と通信する基地局とを有する無線通信システムであって、前記基地局は、前記ユーザ装置に送受信されるダウンリンク及び／又はアップリンクデータのデータ量を管理するデータ滞留量管理部と、前記ユーザ装置に送受信されるダウンリンク及びアップリンクトラフィックデータが発生していない期間を計時するための第１タイマを管理する第１タイマ管理部と、前記第１タイマの停止及びリセットを保留する第２タイマを管理する第２タイマ管理部と、前記第１タイマが所定の閾値を超過すると、前記ユーザ装置を接続確立状態からアイドル状態に遷移させるユーザ装置状態管理部とを有し、前記第２タイマ管理部は、前記ユーザ装置からアップリンクデータが発生したことを通知するメッセージを受信すると、前記第２タイマを起動し、前記ユーザ装置からアップリンクトラフィックデータを受信すると、前記第２タイマを停止及びリセットし、前記第１タイマ管理部は、前記第２タイマの起動中は前記第１タイマの起動を継続する無線通信システムに関する。
【００１５】
本発明のさらなる他の態様は、無線通信システムの基地局によるユーザ装置の接続状態を制御する方法であって、前記ユーザ装置に送受信されるダウンリンク及びアップリンクトラフィックデータが発生していない期間を計時するための第１タイマの停止及びリセットを保留する第２タイマが起動中であるか判断するステップと、前記第２タイマが起動中である場合、前記ユーザ装置からアップリンクトラフィックデータを受信すると、前記第２タイマを停止及びリセットすると共に、前記第１タイマを停止及びリセットするステップと、前記第２タイマが起動中でない場合、前記第１タイマが所定の閾値を超過すると、前記ユーザ装置を接続確立状態からアイドル状態に遷移させるステップとを有する方法に関する。
【発明の効果】
【００１６】
本発明によると、バッファステータスレポート機構においてＵＥの接続状態を適切に制御する技術を提供することができる。
【図面の簡単な説明】
【００１７】
【図１】図１は、バッファステータスレポートの一例を示す図である。
【図２】図２は、従来のＵＥ  Ｉｎａｃｔｉｖｅ  Ｔｉｍｅｒの動作の概略を示す図である。
【図３】図３は、本発明の一実施例によるＵＥ  Ｉａｃｔｉｖｅ  Ｔｉｍｅｒの動作の概略を示す図である。
【図４】図４は、本発明の一実施例による無線通信システムを概略的に示す図である。
【図５】図５は、本発明の一実施例による基地局の構成を示す図である。
【図６】図６は、本発明の一実施例による基地局のアイドル状態遷移処理を示すフローチャートである。
【発明を実施するための形態】
【００１８】
以下、図面に基づいて本発明の実施の形態を説明する。
【００１９】
以下に開示される実施例では、基地局は、ユーザ装置に送受信されるダウンリンク及び／又はアップリンクデータのデータ量を管理すると共に、ユーザ装置に送受信されるダウンリンク及びアップリンクトラフィックデータが発生していない期間を計時するためのＵＥ  Ｉｎａｃｔｉｖｅ  Ｔｉｍｅｒを管理する。ＵＥ  Ｉｎａｃｔｉｖｅ  Ｔｉｍｅｒが所定の閾値を超過すると、基地局は、ユーザ装置を接続確立状態からアイドル状態に遷移させる。従来のＬＴＥシステムでは、基地局は、ユーザ装置からＢＳＲを受信すると、ＢＳＲにより報告される滞留データがＵ−ｐｌａｎｅデータなどのトラフィックデータであるか、又はＣ−ｐｌａｎｅデータなどの制御データの何れであるかに関係なく、ＵＥ  Ｉｎａｃｔｉｖｅ  Ｔｉｍｅｒを停止及びリセットしていた。
【００２０】
以下の実施例では、ＵＥ  Ｉｎａｃｔｉｖｅ  Ｔｉｍｅｒの停止及びリセットを保留するＲｅｌｅａｓｅ  Ｐｅｎｄｉｎｇ  Ｔｉｍｅｒが、基地局に設けられる。基地局は、ユーザ装置からアップリンクデータが発生したことを通知するＢＳＲを受信すると、Ｒｅｌｅａｓｅ  Ｐｅｎｄｉｎｇ  Ｔｉｍｅｒを起動する。その後、ユーザ装置からアップリンクのＵ−ｐｌａｎｅデータなどのトラフィックデータを受信した場合、基地局は、Ｒｅｌｅａｓｅ  Ｐｅｎｄｉｎｇ  Ｔｉｍｅｒを停止及びリセットし、ＵＥ  Ｉｎａｃｔｉｖｅ  Ｔｉｍｅｒを停止及びリセットする。他方、ユーザ装置からＣ−ｐｌａｎｅデータなどの制御データしか受信しない場合には、基地局は、Ｒｅｌｅａｓｅ  Ｐｅｎｄｉｎｇ  Ｔｉｍｅｒを停止及びリセットせず、Ｒｅｌｅａｓｅ  Ｐｅｎｄｉｎｇ  Ｔｉｍｅｒの起動中は、ＵＥ  Ｉｎａｃｔｉｖｅ  Ｔｉｍｅｒの起動を継続する。
【００２１】
これにより、制御データでなくトラフィックデータを受信した場合に始めて、基地局は、ＵＥ  Ｉｎａｃｔｉｖｅ  Ｔｉｍｅｒを停止及びリセットすることが可能となり、本来は停止及びリセットすべきでないタイミングでＵＥ  Ｉｎａｃｔｉｖｅ  Ｔｉｍｅｒを停止及びリセットすることを回避することが可能となる。
【００２２】
図３は、本発明の一実施例によるＵＥ  Ｉｎａｃｔｉｖｅ  Ｔｉｍｅｒの動作の概略を示す図である。図３に示されるように、基地局（ｅＮＢ）は、ＢＳＲを受信すると、ＵＥ  Ｉｎａｃｔｉｖｅ  Ｔｉｍｅｒを停止することなく、当該ＢＳＲを報告したユーザ装置（ＵＥ）をアイドル状態に遷移させることを保留するため、Ｒｅｌｅａｓｅ  Ｐｅｎｄｉｎｇ  Ｔｉｍｅｒを起動する。当該Ｒｅｌｅａｓｅ  Ｐｅｎｄｉｎｇ  Ｔｉｍｅｒの起動中、ｅＮＢは、ＵＥ  Ｉｎａｃｔｉｖｅ  Ｔｉｍｅｒの起動を継続する。ＤＬ／ＵＬのＵ−ｐｌａｎｅデータの発生を検出すると、ｅＮＢは、Ｒｅｌｅａｓｅ  Ｐｅｎｄｉｎｇ  Ｔｉｍｅｒを停止及びリセットすると共に、ＵＥ  Ｉｎａｃｔｉｖｅ  Ｔｉｍｅｒを停止及びリセットする。これにより、ｅＮＢは、Ｕ−ｐｌａｎｅデータが発生した場合にＵＥ  Ｉｎａｃｔｉｖｅ  Ｔｉｍｅｒを停止及びリセットすることが可能となり、Ｃ−ｐｌａｎｅデータの発生によりＢＳＲが送信された場合のＵＥ  Ｉｎａｃｔｉｖｅ  Ｔｉｍｅｒの停止及びリセットを回避することが可能になる。
【００２３】
なお、以下の説明では、ＬＴＥベースの無線通信システムの実施例が説明されるが、本発明はこれに限定されるものでなく、他の何れか適切な無線通信システムに適用されてもよい。また、以下の説明では、各実施例がＬＴＥシステムのＵＥ  Ｉｎａｃｔｉｖｅ  Ｔｉｍｅｒを用いて説明されるが、本発明はこれに限定されるものでない。すなわち、本発明は、ユーザ装置に送受信されるダウンリンク及びアップリンクトラフィックデータが発生していない期間を計時するための他の何れか適切なタイマに適用されてもよい。また、以下の説明では、各実施例がＬＴＥシステムのバッファステータスレポート（ＢＳＲ）を用いて説明されるが、本発明はこれに限定されるものでない。すなわち、本発明は、ユーザ装置に滞留するアップリンクデータのデータ量を報告する他の何れか適切なメッセージに適用されてもよい。また、以下の説明では、各実施例がＬＴＥシステムのＵ−ｐｌａｎｅデータとＣ−ｐｌａｎｅデータとを用いて説明されるが、本発明はこれに限定されるものでない。すなわち、本発明は、ユーザ装置との無線通信を制御するための他の何れか適切な制御情報と、制御情報以外の実データなどのトラフィック情報とに適用されてもよい。
【００２４】
次に、図４を参照して、本発明の一実施例による無線通信システムを説明する。図４は、本発明の一実施例による無線通信システムを概略的に示す図である。
【００２５】
図４に示されるように、無線通信システム１０は、ＬＴＥシステムであり、基地局（ｅＮＢ）１００と、１以上のユーザ装置（ＵＥ）２００とを有する。ＵＥ２００は、典型的には、図示されるように、携帯電話やスマートフォンなどの無線通信機能を備えた何れか適切なユーザ装置であってもよい。
【００２６】
ｅＮＢ１００は、ＵＥ２００と無線接続することによって、上位局（図示せず）から受信したダウンリンク（ＤＬ）データをＵＥ２００に送信すると共に、ＵＥ２００から受信したアップリンク（ＵＬ）データを上位局（図示せず）に送信する。
【００２７】
ＵＥ２００は、ｅＮＢ１００と無線接続することによって、Ｃ−ｐｌａｎｅデータなどの制御データとＵ−ｐｌａｎｅデータなどのトラフィックデータとをｅＮＢ２００との間で送受信する。
【００２８】
次に、図５〜６を参照して、本発明の一実施例による基地局を説明する。図５は、本発明の一実施例による基地局の構成を示す図である。
【００２９】
図５に示されるように、ｅＮＢ１００は、ダウンリンク（ＤＬ）信号送信部１１０と、アップリンク（ＵＬ）信号受信部１２０と、ＵＥ状態管理部１３０と、ＵＥデータ滞留量管理部１４０と、Ｒｅｌｅａｓｅ  Ｐｅｎｄｉｎｇ  Ｔｉｍｅｒ管理部１５０と、ＵＥ  Ｉｎａｃｔｉｖｅ  Ｔｉｍｅｒ管理部１６０とを有する。
【００３０】
ＤＬ信号送信部１１０は、ＵＥ２００にＤＬ信号を送信する。ＤＬ信号として、ＵＥ２００に送信されるＤＬのＵ−ｐｌａｎｅデータなどのトラフィック信号、ＵＥ２００との無線通信のためのＣ−ｐｌａｎｅデータなどの制御信号などがあげられる。例えば、ＤＬ信号送信部１１０は、上位局（図示せず）などから受信したＵ−ｐｌａｎｅデータを送信先のＵＥ２００に送信すると共に、ＵＥ２００との無線通信を制御するためのＣ−ｐｌａｎｅデータをＵＥ２００に送信する。
【００３１】
ＵＬ信号受信部１２０は、ＵＥ２００からＵＬ信号を受信する。ＵＬ信号として、ＵＥ２００から送信されるＵＬのＵ−ｐｌａｎｅデータなどのデータ信号、ＵＥ２００との無線通信のためのＣ−ｐｌａｎｅデータなどの制御信号などがあげられる。また、ＵＬ信号受信部１２０は、ＵＥ２００内にＵＬデータが発生すると、発生したデータ量を報告するバッファステータスレポートを受信する。ＵＬ信号受信部１２０は、受信した各種データをｅＮＢ１００の対応する構成要素に送信する。
【００３２】
ＵＥ状態管理部１３０は、各ＵＥ２００の接続状態を管理し、ＵＥ  Ｉｎａｃｔｉｖｅ  Ｔｉｍｅｒが所定の閾値を超過すると、ＵＥ２００を接続確立状態からアイドル状態に遷移させる。ＬＴＥシステムでは、ＵＥ２００の接続状態として、ＲＲＣ  ｃｏｎｎｅｃｔｅｄ状態とアイドル（ＩＤＬＥ）状態とが規定されている。ＲＲＣ  ｃｏｎｎｅｃｔｅｄ状態では、ｅＮＢ１００とＵＥ２００との間の無線接続が確立されており、ＵＥ２００は、ｅＮＢ１００との間でデータを送受信することが可能である。他方、アイドル状態では、ｅＮＢ１００とＵＥ２００との間の無線接続が確立されておらず、ＵＥ２００は、ｅＮＢ１００との間でデータを送受信することができず、データ送受信するにはＲＲＣ  ｃｏｎｎｅｃｔｅｄ状態に遷移する必要がある。送受信対象のデータを有するＵＥ２００については、データが迅速に送受信できるようにＲＲＣ  ｃｏｎｎｅｃｔｅｄ状態にあることが望ましいのに対して、送受信対象のデータを有さないＵＥ２００については、ネットワークリソースやＵＥ２００のバッテリを節約する観点から、アイドル状態にあることが望ましい。ＵＥ状態管理部１３０は、以下で詳細に説明されるＵ−ｐｌａｎｅデータなどの送受信対象のトラフィックデータをＵＥ２００が有していない時間を計時するＵＥ  Ｉｎａｃｔｉｖｅ  Ｔｉｍｅｒと、ＵＥ  Ｉｎａｃｔｉｖｅ  Ｔｉｍｅｒの停止及びリセットを保留するためのＲｅｌｅａｓｅ  Ｐｅｎｄｉｎｇ  Ｔｉｍｅｒとに基づき、ＵＥ２００の接続状態を制御する。
【００３３】
ＵＥデータ滞留量管理部１４０は、各ＵＥ２００に対して送受信されるダウンリンク及び／又はアップリンクデータのデータ量を管理する。具体的には、ＵＥデータ滞留量管理部１４０は、ＤＬデータについて、ＵＥ２００に送信すべきｅＮＢ１００内のＤＬのＵ−ｐｌａｎｅデータのデータ量を管理すると共に、ＵＬデータについて、ＵＥ２００内のＵＬデータのデータ量を管理する。ＬＴＥシステムでは、各ＵＥ２００は、ＵＬデータが発生すると、ＢＳＲ（Ｂｕｆｆｅｒ  Ｓｔａｔｕｓ  Ｒｅｐｏｒｔ）機構を用いてＵＬデータ量をｅＮＢ１００に報告する。すなわち、ＵＥ２００は、送信対象のＵＬデータが発生すると、ＵＬデータのデータ量をｅＮＢ１００に報告する。上述したように、このＢＳＲ機構では、ＵＥ２００は、論理チャネルグループ（Ｌｏｇｉｃａｌ  Ｃｈａｎｎｅｌ  Ｇｒｏｕｐ：ＬＣＧ）毎に滞留するＵＬデータ量をｅＮＢ１００に報告する。また、１つのＬＣＧに複数の論理チャネル（Ｌｏｇｉｃａｌ  Ｃｈａｎｎｅｌ：ＬＣＨ）がマッピング可能であり、この場合、ＵＥ２００は、マッピングされている複数のＬＣＨのデータ量の合計を当該ＬＣＧのバッファ量としてｅＮＢ１００に報告する。ＵＥデータ滞留量管理部１４０は、各ＵＥ２００から送信されるＢＳＲにより報告される各ＬＣＧのデータ量に基づき、当該ＵＥ２００に滞留するデータ量を管理する。
【００３４】
Ｒｅｌｅａｓｅ  Ｐｅｎｄｉｎｇ  Ｔｉｍｅｒ管理部１５０は、ＵＥ  Ｉｎａｃｔｉｖｅ  Ｔｉｍｅｒの停止及びリセットを保留することによって、ＵＥ２００をアイドル状態に遷移させることを保留するためのＲｅｌｅａｓｅ  Ｐｅｎｄｉｎｇ  Ｔｉｍｅｒを管理する。Ｒｅｌｅａｓｅ  Ｐｅｎｄｉｎｇ  Ｔｉｍｅｒ管理部１５０は、ＵＥ２００からアップリンクデータが発生したことを通知するメッセージ（ＬＴＥシステムにおけるＢＳＲなど）を受信すると、Ｒｅｌｅａｓｅ  Ｐｅｎｄｉｎｇ  Ｔｉｍｅｒを起動する。その後、ＵＥ２００からアップリンクトラフィックデータを受信すると、Ｒｅｌｅａｓｅ  Ｐｅｎｄｉｎｇ  Ｔｉｍｅｒ管理部１５０は、Ｒｅｌｅａｓｅ  Ｐｅｎｄｉｎｇ  Ｔｉｍｅｒを停止及びリセットする。ＵＥ  Ｉｎａｃｔｉｖｅ  Ｔｉｍｅｒ管理部１６０は、Ｒｅｌｅａｓｅ  Ｐｅｎｄｉｎｇ  Ｔｉｍｅｒの起動中はＵＥ  Ｉｎａｃｔｉｖｅ  Ｔｉｍｅｒの起動を継続する。
【００３５】
より詳細には、Ｒｅｌｅａｓｅ  Ｐｅｎｄｉｎｇ  Ｔｉｍｅｒ管理部１５０は、ＵＥ２００からＢＳＲを受信すると、Ｒｅｌｅａｓｅ  Ｐｅｎｄｉｎｇ  Ｔｉｍｅｒを起動する。その後、ｅＮＢ１００が当該ＵＥ１００から受信したＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）内にＵ−ｐｌａｎｅデータを検出した場合、又は当該ＵＥ２００に対するＤＬのＵ−ｐｌａｎｅデータの発生を検出した場合、Ｒｅｌｅａｓｅ  Ｐｅｎｄｉｎｇ  Ｔｉｍｅｒ管理部１５０は、Ｒｅｌｅａｓｅ  Ｐｅｎｄｉｎｇ  Ｔｉｍｅｒを停止及びリセットする。
【００３６】
また、受信したＢＳＲについて、Ｕ−ｐｌａｎｅデータを受信することなく当該ＢＳＲで報告された滞留データの受信を完了した場合、Ｒｅｌｅａｓｅ  Ｐｅｎｄｉｎｇ  Ｔｉｍｅｒ管理部１５０は、Ｒｅｌｅａｓｅ  Ｐｅｎｄｉｎｇ  Ｔｉｍｅｒを停止及びリセットする。あるいは、Ｒｅｌｅａｓｅ  Ｐｅｎｄｉｎｇ  Ｔｉｍｅｒ管理部１５０は、ＢＳＲの受信から所定の期間後までＵ−ｐｌａｎｅデータを受信しなかった場合、Ｒｅｌｅａｓｅ  Ｐｅｎｄｉｎｇ  Ｔｉｍｅｒは満了したと判断し、Ｒｅｌｅａｓｅ  Ｐｅｎｄｉｎｇ  Ｔｉｍｅｒを停止及びリセットしてもよい。
【００３７】
ＵＥ  Ｉｎａｃｔｉｖｅ  Ｔｉｍｅｒ管理部１６０は、各ＵＥ２００に送受信されるダウンリンク及びアップリンクトラフィックデータが発生していない期間を計時するためのＵＥ  Ｉｎａｃｔｉｖｅ  Ｔｉｍｅｒを管理する。ＵＥ  Ｉｎａｃｔｉｖｅ  Ｔｉｍｅｒ管理部１６０は、ＵＥ２００に送受信されるダウンリンク及びアップリンクトラフィックデータがなくなると、ＵＥ  Ｉｎａｃｔｉｖｅ  Ｔｉｍｅｒを起動し、ＵＥ２００からアップリンクデータが発生したことを通知するメッセージ（ＬＴＥシステムにおけるＢＳＲなど）を受信すると、Ｒｅｌｅａｓｅ  Ｐｅｎｄｉｎｇ  Ｔｉｍｅｒが停止及びリセットされているため、ＵＥ  Ｉｎａｃｔｉｖｅ  Ｔｉｍｅｒを停止及びリセットする。
【００３８】
本実施例では、ＵＥ  Ｉｎａｃｔｉｖｅ  Ｔｉｍｅｒ管理部１６０は、ＵＥ２００に対するＤＬ／ＵＬデータが発生したかモニタすると共に、Ｒｅｌｅａｓｅ  Ｐｅｎｄｉｎｇ  Ｔｉｍｅｒ管理部１５０により管理されるＲｅｌｅａｓｅ  Ｐｅｎｄｉｎｇ  Ｔｉｍｅｒが起動中であるかモニタする。上述したように、ＵＥ  Ｉｎａｃｔｉｖｅ  Ｔｉｍｅｒ管理部１６０は、ＵＥ２００に対するＤＬ／ＵＬのＵ−ｐｌａｎｅデータがなくなると、ＵＥ  Ｉｎａｃｔｉｖｅ  Ｔｉｍｅｒを起動する。その後、ＵＥ２００に対するＤＬ／ＵＬのＵ−ｐｌａｎｅデータが発生したことをＵＥデータ滞留量管理部１４０から通知されると、ＵＥ  Ｉｎａｃｔｉｖｅ  Ｔｉｍｅｒ管理部１６０は、Ｒｅｌｅａｓｅ  Ｐｅｎｄｉｎｇ  Ｔｉｍｅｒ管理部１５０のＲｅｌｅａｓｅ  Ｐｅｎｄｉｎｇ  Ｔｉｍｅｒが起動中であるか確認する。Ｒｅｌｅａｓｅ  Ｐｅｎｄｉｎｇ  Ｔｉｍｅｒが起動中である場合には、ＵＥ  Ｉｎａｃｔｉｖｅ  Ｔｉｍｅｒ管理部１６０は、ＵＥ  Ｉｎａｃｔｉｖｅ  Ｔｉｍｅｒの起動を継続する。他方、Ｒｅｌｅａｓｅ  Ｐｅｎｄｉｎｇ  Ｔｉｍｅｒが起動中でない場合、ＵＥ  Ｉｎａｃｔｉｖｅ  Ｔｉｍｅｒ管理部１６０は、ＵＥ  Ｉｎａｃｔｉｖｅ  Ｔｉｍｅｒを停止及びリセットする。
【００３９】
また、ＵＥ  Ｉｎａｃｔｉｖｅ  Ｔｉｍｅｒ管理部１６０は、ＵＥ  Ｉｎａｃｔｉｖｅ  Ｔｉｍｅｒの起動後、ＵＥ２００に対するＤＬ／ＵＬのＵ−ｐｌａｎｅデータが発生せず、ＵＥ  Ｉｎａｃｔｉｖｅ  Ｔｉｍｅｒが所定の時間閾値を超過すると、Ｒｅｌｅａｓｅ  Ｐｅｎｄｉｎｇ  Ｔｉｍｅｒが起動されていない場合には、ＵＥ２００をアイドル状態に遷移させるようＵＥ状態管理部１３０に通知する。
【００４０】
図６は、本発明の一実施例による基地局のアイドル状態遷移処理を示すフローチャートである。
【００４１】
図６に示されるように、ステップＳ１０１において、Ｒｅｌｅａｓｅ  Ｐｅｎｄｉｎｇ  Ｔｉｍｅｒ管理部１５０は、Ｒｅｌｅａｓｅ  Ｐｅｎｄｉｎｇ  Ｔｉｍｅｒが起動中であるか、すなわち、ｅＮＢ１００がＵＥ２００からＢＳＲを受信したか判断する。Ｒｅｌｅａｓｅ  Ｐｅｎｄｉｎｇ  Ｔｉｍｅｒが起動中である場合（Ｓ１０１：Ｙ）、当該処理はステップＳ１０２に移行し、他方、Ｒｅｌｅａｓｅ  Ｐｅｎｄｉｎｇ  Ｔｉｍｅｒが起動中でない場合（Ｓ１０１：Ｎ）、当該処理はステップＳ１０４に移行する。
【００４２】
ステップＳ１０２において、ＵＥデータ滞留量管理部１４０は、所定の期間内にＵＥ２００に対するＤＬ／ＵＬのＵ−ｐｌａｎｅデータが発生するか判断する。ＵＥ２００に対するＤＬ／ＵＬのＵ−ｐｌａｎｅデータの発生を検出した場合（Ｓ１０２：Ｙ）、当該処理はステップＳ１０３に移行する。他方、所定の期間においてＵＥ２００に対するＤＬ／ＵＬのＵ−ｐｌａｎｅデータの発生を検出しなかった場合（Ｓ１０２：Ｎ）、当該処理は、ＵＥ２００とのＲＲＣ  ｃｏｎｎｅｃｔｅｄ状態を維持して終了する。
【００４３】
ステップＳ１０３において、Ｒｅｌｅａｓｅ  Ｐｅｎｄｉｎｇ  Ｔｉｍｅｒ１５０が、Ｒｅｌｅａｓｅ  Ｐｅｎｄｉｎｇ  Ｔｉｍｅｒを停止及びリセットする。Ｒｅｌｅａｓｅ  Ｐｅｎｄｉｎｇ  Ｔｉｍｅｒが起動されていない状態で、ＤＬ／ＵＬのＵ−ｐｌａｎｅデータの発生が検出されたため、ＵＥ  Ｉｎａｃｔｉｖｅ  Ｔｉｍｅｒ管理部１６０は、ＵＥ  Ｉｎａｃｔｉｖｅ  Ｔｉｍｅｒを停止及びリセットする。その後、当該処理は、ＵＥ２００とのＲＲＣ  ｃｏｎｎｅｃｔｅｄ状態を維持して終了する。
【００４４】
ステップＳ１０４において、ＵＥ  Ｉｎａｃｔｉｖｅ  Ｔｉｍｅｒ管理部１６０は、ＵＥ  Ｉｎａｃｔｉｖｅ  Ｔｉｍｅｒが所定の閾値を経過したか判断する。ＵＥ  Ｉｎａｃｔｉｖｅ  Ｔｉｍｅｒが所定の閾値を超過している場合（Ｓ１０４：Ｙ）、当該処理はステップＳ１０５に移行し、他方、ＵＥ  Ｉｎａｃｔｉｖｅ  Ｔｉｍｅｒが所定の閾値を超過していない場合（Ｓ１０４：Ｎ）、当該処理は、ＵＥ２００とのＲＲＣ  ｃｏｎｎｅｃｔｅｄ状態を維持して終了する。
【００４５】
ステップＳ１０５において、ＵＥ状態管理部１３０は、ＵＥ２００にＲＲＣ  ｃｏｎｎｅｃｔｉｏｎ  Ｒｅｌｅａｓｅを送信することによって、ＵＥ２００をアイドル状態に遷移させる。
【００４６】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４７】
１０  無線通信システム
１００  基地局（ｅＮＢ）
１１０  ダウンリンク（ＤＬ）信号送信部
１２０  アップリンク（ＵＬ）信号受信部
１３０  ＵＥ状態管理部
１４０  ＵＥデータ滞留量管理部
１５０  Ｒｅｌｅａｓｅ  Ｐｅｎｄｉｎｇ  Ｔｉｍｅｒ管理部
１６０  ＵＥ  Ｉｎａｃｔｉｖｅ  Ｔｉｍｅｒ管理部
２００  ユーザ装置（ＵＥ）
【図１】
2014017591.tif 000003
【図２】
2014017591.tif 000004
【図３】
2014017591.tif 000005
【図４】
2014017591.tif 000006
【図５】
2014017591.tif 000007
【図６】
2014017591.tif 000008